【事件の表示】
　平成１０年特許願第３７２２３１号「車両用電源装置」拒絶査定不服審判事件〔平成１２年　７月１４日出願公開、特開２０００−１９７３６９〕について、次のとおり審決する。
【結　論】
　本件審判の請求は、成り立たない。
【理　由】
１．手続の経緯
　本願は、平成１０年１２月２８日の出願であって、平成１４年１２月２７日付で拒絶査定がなされ、これに対し、平成１５年２月６日に拒絶査定に対する審判請求がなされるとともに、同年３月６日付で手続補正がなされたものである。
　
２．平成１５年３月６日付の手続補正についての補正却下の決定［補正却下の決定の結論］
　　平成１５年３月６日付の手続補正を却下する。
［理由］
（１）補正後の本願発明
　本件補正により、特許請求の範囲の請求項１は、
「【請求項１】　交流入力電源を入力し車両がセクションを通過したとき前記交流入力電源の入力電圧低下または周波数低下が発生する車両用電源装置において、前記交流入力電源を整流するダイオード整流回路と、前記ダイオード整流器で整流された直流電圧を平滑するフィルタコンデンサと、前記フィルタコンデンサによって得られた直流電圧を所定の直流電圧に変換するＤＣ／ＤＣコンバータと、前記フィルタコンデンサによって得られた直流電圧を所定の交流電圧に変換するＤＣ／ＡＣインバータとを備えたこと特徴とする車両用電源装置。」
と補正された。
　上記補正は、請求項１に記載した発明を特定するために必要な事項である「車両用電源装置」について「交流入力電源を入力し車両がセクションを通過したとき前記交流入力電源の入力電圧低下または周波数低下が発生する」との限定を付加するものであって、特許法第１７条の２第４項第２号の特許請求の範囲の減縮を目的とするものに該当する。
しかし、「フィルタコンデンサ」について「ダイオード整流器で整流された直流電圧を平滑すると共に前記交流入力の瞬停の際に所定時間直流電圧を維持するフィルタコンデンサ」と記載されていたものから
「すると共に前記交流入力の瞬停の際に所定時間直流電圧を維持する」との限定を削除する補正
  よって、本件補正は、特許法第１７条の２第４項の規定に違反するものであり、特許法第１５９条第１号で準用する同法第５３条第１項の規定により却下されるべきものである。
　
３．本願発明について
　平成１５年３月６日付の手続補正は上記のとおり却下されたので、本願の請求項１に係る発明（以下、同項記載の発明を「本願発明」という。）は、平成１３年１０月３日付手続補正書の特許請求の範囲の請求項１に記載された事項により特定される、以下のとおりのものである。
「【請求項１】　交流入力の車両用電源装置において、交流入力電源を整流するダイオード整流回路と、前記ダイオード整流器で整流された直流電圧を平滑すると共に前記交流入力の瞬停の際に所定時間直流電圧を維持するフィルタコンデンサと、前記フィルタコンデンサによって得られた直流電圧を所定の直流電圧に変換するＤＣ／ＤＣコンバータと、前記フィルタコンデンサによって得られた直流電圧を所定の交流電圧に変換するＤＣ／ＡＣインバータとを備えたこと特徴とする車両用電源装置。」
　
４．引用例等
４．１　引用例　
　原査定の拒絶の理由に引用された特開平１０−１７４４５０号公報（平成１０年６月２６日公開、以下「引用例」という。）には、図面とともに、以下の記載がある。
Ａ．「【００１９】
　　【発明の実施の形態】
　以下、本発明の実施の形態を図に基づいて詳説する。図１は本発明の第１の実施の形態の回路構成を示している。この第１の実施の形態の電力変換装置は、図３に示した従来例の電力変換装置に対して、一次電力変換部２のメイン制御部２８における制御部２７が制御部２９に変更され、またこの制御部２９によって切替動作する信号切替部２１０が新たに備えられた点、補助直流電力変換部５における整流回路５１が逆インバータ回路を備えた整流回路５６に変更された点が特徴である。なお、その他、図３に示した従来の電力変換装置と同一の部分には同一の符号を付すことによって詳しい説明は省略する。
　　　【００２０】
　一次電力変換部２のメイン制御部２８における信号切替部２１０は、制御部２９のスイッチング制御信号をインバータ回路２４側Ａと、補助直流電力変換部５の逆インバータ回路５６側Ｂとの間で切り替えて出力する働きをするようになっている。そして制御部２９は、通常時には信号切替部２１０をインバータ回路２４側Ａに切り替えていて、インバータ回路２４のスイッチング動作を制御し、高圧交流電源１の周波数を監視する周波数監視部２５と電圧を監視する電圧監視部２６の出力に基づいてこの高圧交流電源１に停電が発生したと判断した時には、
信号切替部２１０を補助直流電力変換部５の逆インバータ回路５６側Ｂに切り替えて逆インバータ回路５６のスイッチング動作を制御するようになっている。
　　　【００２１】
　補助直流電力変換部５の逆インバータ回路を備えた整流回路５６は、スイッチング制御信号が与えられない間は、トランス３の二次側の交流電力を整流して補助直流電力として出力するが、スイッチング制御信号が与えられると逆インバータ回路がインバータ動作して、バックアップバッテリ５５の直流電力を交流電力に変換してトランス３側に出力する働きをする。
　　　【００２２】
　次に、上記構成の電力変換装置の動作について説明する。高圧交流電源１が入力される通常状態では、一次電力変換部２において全波整流回路２１で高圧交流電源１を整流し、直流リアクトル２２とコンデンサ２３とで波形整形してインバータ回路２４にリップル電圧のない直流電力に整形して出力し、このインバータ回路２４で高周波数交流電力に再変換して降圧トランス３の一次側に出力する。
　　　【００２３】
　トランス３の出力側の補助交流電力変換部４では、まず全波整流回路４１によって高周波数電力を整流し、波形整形回路４４においてリップル電圧のない直流電力に波形整形し、さらにインバータ回路４５において所定周波数、所定電圧の交流電力に再変換し、これを補助交流電源として出力する。
　　　【００２４】
　またこれと共に、補助直流電力変換部５では、逆インバータ回路を備えた整流回路５６においてトランス３の交流電力を全波整流し、波形整形回路５４でリップル電圧のない所定電圧の直流に波形整形し、この直流電力を補助直流電源として出力する。バッテリ５５はこの補助直流電源によって充電され、バックアップ電源として使用される。
　　　【００２５】
　ここで、高圧交流電源１が停電した時には、一次電力変換部２の制御部２９が周波数監視部２５と電圧監視部２６の状態を監視していて、高圧交流電源１の電圧又は周波数が所定値よりも低下すれば信号切替部２１０を直ちにインバータ回路２４側Ａから逆インバータ回路５６側Ｂに切り替える。これによって一次電力変換部２のインバータ回路２４のスイッチング素子が停止して一次電力変換動作を停止し、トランス３に一次側への出力を停止する。これと同時に、制御部２９は信号切替部２１０によって切替接続された逆インバータ回路５６にスイッチング制御信号を出力するようになって、逆インバータ回路５６が起動する。
　　　【００２６】
　整流回路５６の逆インバータ回路がスイッチング動作を開始すると、トランス３には一次電力変換部２から出力がないため、バックアップバッテリ５５の直流電力を所定電圧、周波数の交流電力に逆変換してトランス３の二次側に出力し、
このトランス３の二次側に共通に接続されている補助交流電力変換部４に交流電力を供給するようになる。
　　　【００２７】
　この結果、一次電力変換部２側からの出力が停止しても、補助交流電力変換部４には引き続き交流電力が補助直流電力変換部５側から供給されるので、引き続き整流、インバータ変換を継続して補助交流電力を出力し続けることができることになる。
　　　【００２８】
　なお、高圧交流電源１が回復すれば、制御部２９は周波数監視部２５と電圧監視部２６からの信号を受けて電源復帰を検出し、信号切替部２１０を通常状態であるＡ側に戻してスイッチング制御信号を再び一次電力変換部２のインバータ回路２４に出力してスイッチング動作を再開させることになる。この切替制御によって補助直流電力変換部５の整流回路５６の逆インバータ回路はスイッチング動作を停止し、再び、トランス３の二次側の交流電力の全波整流動作に復帰することになる。」
　
Ｂ．「【０００３】
　そして、一次電力変換部２は、ダイオードとサイリスタとのブリッジ回路で高圧交流電源１を全波整流する全波整流回路２１と、この全波整流回路２１の出力側に設けられた直流リアクトル２２及びコンデンサ２３と、このコンデンサ２３に並列に設けられ、直流電力を所定周波数、所定電圧の交流電力に再変換するブリッジ回路２４を備え、さらにブリッジ回路２４に組み込まれているスイッチング素子各々のスイッチング制御を行うと共に、入力電源１の周波数及び電圧をそれぞれ周波数監視部２５、電圧監視部２６で監視していて周波数が低下し、または電圧が低下した場合に停電発生と判断し、ブリッジ回路２４のスイッチングを停止する保護動作を行う制御部２７から構成されるメイン制御部２８を備えている。」
　
　これらの記載によれば、引用例には、「交流を入力し直流を出力するダイオードとサイリスタからなる整流回路２１と、該整流回路の直流出力側に接続され直流出力電圧からリップル電圧を取除くための直流リアクトル２２とコンデンサ２３と、該リップル電圧を取除いた直流電圧を入力とし高周波数の交流に変換して降圧トランス３の一次側巻線に出力するインバータ回路２４とで一次電力変換部を構成し、前記降圧トランスの二次側に複数の巻線を設け、該巻線の１つには、全波整流回路４１と波形整形回路４４及びインバータ回路４５を設けて補助交流電力変換部を構成して所定の交流電圧を出力し、前記他方の二次巻線には、逆インバータ回路を備えた整流回路５６及び波形整形回路５４を設けることにより補助直流電力変換部を構成して所定の直流電圧を出力し、セクション通過時に前記インバータ回路を停止すると共に前記逆インバータ回路を駆動するメイン制御部２８を備えた電力変換装置。」の発明（以下「引用発明」という。）が記載されているものと認めることができる。
　
４．２　周知例
（１）実願平１−５４８８８号（実開平２−１４６９４９号のマイクロフィルム）
  上記公報には、「本考案の瞬時電圧低下補償装置では、交流電源の出力電圧を昇圧する昇圧トランスと、前記トランスの出力を整流する整流回路と、直流フィルタを介した前記整流回路の出力を交流に変換し負荷に定格電圧を出力するインバータと、前記直流フィルタと前記インバータとの間に前記インバータと並列に設けられたコンデンサとを備えたことを特徴としている。
［作用］
　以上のような構成において、定常時に整流回路の出力により充電されたコンデンサが、瞬低、瞬断発生時にインバータのエネルギ源になるため、交流電源が１００％電圧低下した場合であっても、従来のようにインバータの出力電圧の低下が防止され、瞬低、瞬断発生時に昇圧トランス、整流回路及び直流フィルタの入力電流が増加することがない。」（３頁１９行〜１７行、図１参照）
（２）特開昭６１−４６１２８号公報　　
　上記公報には、「商用電源を整流し直流に変換して出力する整流部と、該整流部からの直流出力を入力されて異なる一定電圧の直流出力に変換して出力するＤＣ−ＤＣコンバータとから成り、該コンバータ部出力を負荷に供給するようにした直流供給方式において、前記整流部出力にコンデンサを並列に接続するとともに、該整流部出力に、蓄電池とダイオードの直列回路を並列に接続し、商用電源正常時には、該電源から充電器を介して前記コンデンサの両端間電圧より低い電圧で前記蓄電池を充電しておき、、商用電源の停電時には、前記コンデンサの両端間電圧の低下に伴い、前記蓄電池からダイオード、ＤＣ−ＤＣコンバータ部を介して負荷へ直流出力を供給するようにしたことを特徴とする無瞬断直流供給方式。」（特許請求の範囲）、
「時間ｔ０において、商用電源１が停電になると、コンデンサ７に蓄積されていたエネルギーがコンバータ部８へ供給され、これにより負荷５へ、安定な出力電圧Ｖ０を供給する。コンデンサ７の電圧は、エネルギーを放出するにつれて低下してくるが、蓄電池電圧Ｖbattより低くなるとダイオード１１が導通して蓄電池９からダイオード１１を介してコンバータ部８へ電力が供給される。」（３頁左上欄２行〜１０行）
と記載されている。　
　特に上記後者の記載から、停電時ｔ０からコンデンサの電圧が蓄電池電圧Ｖbattより低くなるまでの間は該コンデンサによりコンバータ部へエネルギーを供給していることが明かである。
（３）上記両公報によれば、交流電圧を整流回路により整流した電圧をインバータまたはコンバータに入力する電源回路において、整流回路と前記インバータ、コンバータ間で、整流回路により整流された波形の平滑・成形等を行うべきコンデンサを接続する位置に接続されたコンデンサにより瞬時停電等の直流電圧が低下した間、該コンデンサに蓄積しておいた電荷によりインバータまたはコンバータに直流出力を供給することは、本願出願前に周知の技術と認められる。
　
５．　対比
　そこで、本願発明と引用発明とを自明な点を考慮して各構成を比較すると、以下のことが言える。
　ａ．引用発明は、一次電力変換部の整流回路で直流にされた電圧を、該一次電力変換部２のインバータ部２４と補助交流電力変換部４とにより所定の交流電圧に変換し出力しているから、「該一次電力変換部のインバータ部２４と補助交流電力変換部４（当然トランスも含む）」が、本願発明の「ＤＣ／ＡＣインバータ」に相当する。
　ｂ．引用発明は、一次電力変換部の整流回路で直流にされた電圧を、該一次電力変換部２のインバータ部２４と補助直流電力変換部５とにより所定の直流電圧に変換し出力しているから、「該一次電力変換部２のインバータ部２４と補助直流電力変換部５（当然トランスも含む）」が、本願発明の［ＤＣ／ＤＣコンバータ］に相当する。
　ｃ．引用発明の「ダイオードとサイリスタからなる全波整流回路」は、本願発明の「交流入力電源を整流するダイオード整流回路」とは、「整流回路」として共通する。
　ｄ．引用発明の「リップルを取除くためのコンデンサ」は、少なくとも交流電圧を整流したことに伴うリップルを取除くものであるから、本願発明の「フィルタコンデンサ」と機能的に共通する。
［一致点］　
　以上の点を考慮すると、両者は
「交流入力の車両用電源装置において、交流入力電源を整流する整流回路と、前記整流器で整流された直流電圧を平滑するフィルタコンデンサと、前記フィルタコンデンサによって得られた直流電圧を所定の直流電圧に変換するＤＣ／ＤＣコンバータと、前記フィルタコンデンサによって得られた直流電圧を所定の交流電圧に変換するＤＣ／ＡＣインバータとを備えたこと特徴とする車両用電源装置。」
の点で一致し、以下の点で相違している。
［相違点］
［相違点１］
　交流入力電源を整流する整流回路について、本願発明は「ダイオード整流回路」であるのに対し、引用発明は「ダイオードとサイリスタからなる整流回路」である点。
［相違点２］
　フィルタコンデンサについて、本願発明は「整流された直流電圧を平滑すると共に前記交流入力の瞬停の際に所定時間直流電圧を維持する」フィルタコンデンサであるのに対し、引用発明１は、かかる限定が付されていない点。
［相違点３］
　セクション通過時の交流入力の瞬停の際、本願発明は特に制御をしていないのに対し、引用発明は、瞬停を防止するため、交流入力を変換するためのインバータ動作を停止し、その間は補助直流電力変換部の逆インバータにより補助交流電力変換部に電力を供給する制御を行っている点。
　
６．判断
［相違点１について］
　　引用発明において、整流回路２１にはゲート制御が可能なサイリスタを一部に用いているが、引用例の何れにも該サイリスタの制御を行うことは記載されておらず、単に交流電源を整流するのみである。そして、単に整流するためにダイオード整流器を用いることは、慣用手段に過ぎないから、引用発明においても、一次電力変換部におけるダイオードとサイリスタからなる整流回路に換えてダイオード整流器を用いることは、当業者が適宜実施し得ることにすぎないと認められる。
　
［相違点２について］
　交流電圧を整流回路により整流した電圧をインバータまたはコンバータに入力する電源回路において、整流回路と前記インバータ、コンバータ間に接続した平滑・成形等を行うコンデンサにより瞬時停電等の直流電圧が低下した間、該コンデンサに蓄積しておいた電荷によりインバータ又はコンバータに直流出力を供給することは、上記周知例に記載されているように周知技術に過ぎないから、引用発明においても、その一次電力変換部の整流回路とインバータ間に接続されたコンデンサにより、瞬停に相当するセクション通過時に補助交流電力変換部及び補助直流電力変換部に直流出力を供給することは、当業者が容易に考えられるものと認められる。
　なお、どの程度の期間、コンデンサにより直流出力を供給するかは、使用するコンデンサ自体あるいは並列接続するコンデンサの容量により適宜設定できるものと認められる。
　
［相違点３について］
　上記［相違点２について］で記載したように、引用発明において、セクション通過時でも一次電力変換部の前記コンデンサにより直流出力を供給するように構成すれば、セクション通過時に交流電源部の電圧が低下していても低下前と同様、すなわち正常時と同様に直流出力を供給しているのであるから、一次電力変換部のインバータ回路及び補助直流電力変換部の逆インバータの制御は正常時と同様に維持することになることは、当然のことと認められる。
［まとめ］
　以上のとおり、相違点１乃至３に係る本願発明の構成は格別なものではなく、本願発明の作用効果も、引用例及び周知技術から当業者が予測できる範囲のものである。
　　
７．むすび
　したがって、本願発明は、引用例に記載された発明、及び周知技術に基づいて、当業者が容易に発明をすることができたものであるから、特許法第２９条第２項の規定により特許を受けることができない。
　よって、結論のとおり審決する。